(57)【要約】【課題】  関連する無線装置においては、通信方式にかかわらず、同じ操作で、確定した通信を開始できない。【解決手段】  本発明の無線装置は、無線装置と使用者との相対位置に関する情報を取得するセンサと、通信開始の操作を受け付ける入力部と、前記情報に基づいて無線装置の状態を判定する制御部とを含み、前記制御部は、前記操作をトリガとして、前記無線装置と使用者との相対位置を判定し、前記判定に基づいて所定の通信方式を決定した後、前記所定の通信方式を開始することを特徴とする。【選択図】      図１
2015126313.tif 000002
【特許請求の範囲】
【請求項１】
無線装置と使用者との相対位置に関する情報を取得するセンサと、
通信開始の操作を受け付ける入力部と、
前記情報に基づいて無線装置の状態を判定する制御部
とを含み、
前記制御部は、前記操作をトリガとして、前記無線装置と使用者との相対位置を判定し、前記判定に基づいて所定の通信方式を開始させることを特徴とする無線装置。
【請求項２】
前記所定の通信方式として、単信通信および複信通信が少なくとも選択可能である請求項１に記載した無線装置。
【請求項３】
前記制御部が、前記無線装置と使用者との相対位置に関する情報に基づき、無線装置が使用者へ接近していると判定した場合は複信通信方式を選択する請求項２に記載した無線装置。
【請求項４】
前記制御部が、前記無線装置と使用者との相対位置に関する情報に基づき、無線装置が使用者から離れていると判定した場合は単信通信方式を選択する請求項２に記載した無線装置。
【請求項５】
前記入力部は操作部を含み、
前記操作部の所定のキー入力を前記トリガとする請求項１から４のいずれか１項に記載した無線装置。
【請求項６】
前記入力部がマイクを備え、
前記マイクがに入力された任意のレベル以上の音声入力を前記トリガとする請求項１から４のいずれか１項に記載した無線装置。
【請求項７】
前記センサは近接センサであり、
前記制御部が、前記近接センサが取得した情報と、予め用意する閾値から無線装置が使用者に接近しているか否かを判定する請求項１から６のいずれか１項に記載した無線装置。
【請求項８】
前記センサは無線装置の移動距離および向きの少なくとも一方を検出するモーションセンサであり、
前記制御部が、前記検出結果から無線装置が使用者に接近しているかどうかを算出する請求項１から６のいずれか１項に記載した無線装置。
【請求項９】
前記センサはカメラであり、
前記制御部が、前記カメラが撮影した画像に顔認識処理を行うことにより使用者との距離の遠近を判定する請求項１から６のいずれか１項に記載した無線装置。
【請求項１０】
無線装置と使用者との相対位置に関する情報を取得し、
通信開始の操作を受け付け、
前記情報に基づいて無線装置と使用者との相対位置を判定し、
前記操作をトリガとして、前記無線装置の状態を判定し、
前記判定に基づいて所定の通信方式を決定し、
前記所定の通信方式を開始する、
無線装置の制御方法。
【発明の詳細な説明】
【技術分野】
【０００１】
本発明は、単信通信・複信通信の両機能をもつ無線装置に関し、特にセンサ等により装置の状態を検出し、その状態によって通信方式を選択する無線装置に関する。
【背景技術】
【０００２】
無線装置による無線通信として、単信通信および複信通信の２種類の方式に大別することができる。単信通信とは、相対する方向で送信が交互に行われる通信方式のことをいう。単信通信は、無線装置は基本的に受信状態で待機し、例えばプレストーク用ボタンを押している間だけ送信を行う。つまり、受信と送信とを交互に行う。また、複信通信とは、送信と受信の両方を同時に行える双方向の通信方式のことをいう。複信通信では、送信と受信とを同時に行うので、ハウリングやエコーを防ぐため受信した音声信号の出力音量を絞る必要がある。そして無線通信は特定の割り当てがある周波数帯域を利用して情報を伝えるものである。このように、周波数帯域が限られた環境でより多くの利用者が同時に無線通信を行うためには、周波数帯域を効率的に利用する必要がある。
【０００３】
このような単信通信および複信通信の２種類の通信方式に対応する関連する無線装置が特許文献１に記載されている。特許文献１によれば、関連する携帯無線機は、可動可能なアーム部を備え、アーム部にはマイクロホンを備え、アーム部の可動により筐体に収納した状態、もしくは引き出した状態に応じてスピーカの音量を制御して出力する。これにより関連する携帯無線機は、マイクロホンを収納時は単信通信に、マイクロホンを引き出した時は複信通信に切り替わるとしている。なお、複信通信時にはスピーカの音量が耳を当てないと聞き取ることができないレベルに低減されるとしている。
【０００４】
また、無線通信は音声通話とテレビ電話に大別することもできる。音声通話とテレビ電話の通信方式を切り替える技術の一例として、特許文献２には音声通話モードとテレビ電話モードを自動的に間違いなく切り替えることができる関連する携帯端末が記載されている。特許文献２によれば、関連する携帯端末は、距離センサ、カメラ画像の顔認識処理、カメラ画像の輝度測定処理を組み合わせることにより携帯端末が使用者の耳付近にあるかどうかを確実に判断するとしている。なお、通信方式の切り替えは通信を開始した後の切り替わりである。
【先行技術文献】
【特許文献】
【０００５】
【特許文献１】特開２００４-３４９８３９号公報
【特許文献２】特開２００９-４９５９号公報
【発明の概要】
【発明が解決しようとする課題】
【０００６】
しかしながら、文献１に記載の関連する無線装置においては、通信方式を切り替えるためにアーム部を開閉していた。このため、慣れない使用者が誤った操作をしたり、緊急時等で早急に通信を行いたい状況であるにも関わらず操作にまごついてしまう場合があった。すなわち、通信方式によってアーム部を開あるいは閉にするので、通信方式によって操作が異なるという問題があった。
【０００７】
また、文献２に記載の関連する携帯端末においては、一旦音声通話として通信を開始した後に使用者との距離やカメラのオンオフ状態等を取得し、それらに基づいて通信方式を決定し、必要に応じて方式の切り替えを行っていた。つまり、通信を開始してから通話が開始されるまでの間に通信方式決定の処理を行う必要があるため、その間の通信において通話を行わないにもかかわらず周波数帯域を確保していた。このように、通信を開始した後に、通信方式が切り替わる場合があるという問題があった。
【０００８】
このように、上述した関連する無線装置においては、通信方式にかかわらず、同じ操作で、確定した通信を開始できないという課題があった。
【０００９】
本発明の目的は、上述した課題である、通信方式にかかわらず、同じ操作で、確定した通信を開始できず、操作性が良くないという課題を解決する無線装置およびその制御方法を提供することにある。
【課題を解決するための手段】
【００１０】
本発明の無線装置は、無線装置と使用者との相対位置に関する情報を取得するセンサと、通信開始の操作を受け付ける入力部と、情報に基づいて無線装置の状態を判定する制御部とを含み、制御部は、操作をトリガとして、無線装置と使用者との相対位置を判定し、判定に基づいて所定の通信方式を決定した後、所定の通信方式を開始させる。
【００１１】
本発明の無線装置の制御方法は、無線装置と使用者との相対位置に関する情報を取得し、通信開始の操作を受け付け、情報に基づいて無線装置と使用者との相対位置を判定し、操作をトリガとして、無線装置の状態を判定し、判定に基づいて所定の通信方式を決定し、所定の通信方式を開始する。
【発明の効果】
【００１２】
本発明の無線装置およびその制御方法によれば、通信方式にかかわらず、同じ操作で、確定した通信を開始でき、操作性を向上することができる。
【図面の簡単な説明】
【００１３】
【図１】実施形態の無線装置の構成を示すブロック図である。
【図２】実施形態の無線装置の外観図である。
【図３】実施形態の無線装置の動作を示すフローチャートである。
【図４】実施形態の無線装置に対する使用者の操作を示す図である。
【発明を実施するための形態】
【００１４】
以下に、図面を参照しながら、本発明の実施形態および実施例について詳細に説明する。
【００１５】
なお、以下の説明では、同じ機能を有するものには同じ符号をつけ、その説明を省略する場合がある。
【００１６】
（構成）
図１は本実施形態の無線装置の構成を示すブロック図である。制御部１１は無線装置１０の主制御部であり、後述するセンサ１３が検出する無線装置１０と使用者との相対位置に関する情報から無線装置１０の状態を判定する。この判定は例えば入力部２０である操作部１４またはマイク１５の両方から通信開始の操作を受け付けたことをトリガとして行う。さらに、制御部１１は無線装置１０の状態の判定結果から通信方式を選択する。また、制御部１１は受話スピーカ１６や表示部１７の制御等を行う。
【００１７】
無線部１２は制御部１１からの情報に基づき他の無線装置との通信を行う。無線部１２は単信通信・複信通信両方の機能を備える。
【００１８】
センサ１３は無線装置１０の状態に関する情報を検出する。より詳細には、無線装置１０と使用者との相対位置に関する情報である。センサ１３としては例えば近接センサやモーションセンサ、カメラ等がある。近接センサは磁界の変化、電界の変化、赤外線の反射、超音波の反射等を捉えて無線装置１０が使用者へ接近しているか否かを検出するものである。モーションセンサは無線装置１０の移動距離や向き等を検出するものである。カメラは画像を撮影し顔認識処理により使用者との距離の遠近を判定するものである。
【００１９】
操作部１４は使用者の操作を受け付けるテンキースイッチ等のボタンである。マイク１５は周囲の音声を入力データとして取得する。受話スピーカ１６は受信した音声データを出力する。受話スピーカ１６は音量調整機能によって音量可変である。
【００２０】
図２は実施形態の無線装置の外観図である。単信通信をする場合、使用者は無線装置１０を顔前方に支持する。送信時はプレストーク用ボタン１８を押しながらマイク１５に向かって発声し音声入力する。このため、単信通信時、無線装置１０は耳から離れている。また、複信通信をする場合、使用者は受話スピーカ１６を耳に近づけて受信した音声出力を聞き取り、マイク１５に向かって発声し音声入力する。
【００２１】
本実施形態はこのような構成の無線装置について、耳に接近している、離れている等の装置の状態を検出し通信方式を選択する。
【００２２】
（作用）
図３は本実施形態の無線装置の動作を示すフローチャートである。センサ１３は定期的に無線装置１０の状態を検出する（ステップＳ１）。使用者は通信を開始するために顔前方や耳近傍で無線装置１０を支持し、無線装置１０の入力部２０である操作部１４に含まれる任意のボタン、例えばプレストーク用ボタン１８を押下する（ステップＳ２）。制御部１１は、ボタン１８の押下をトリガとしてセンサ１３から入力される無線装置１０の状態情報とあらかじめ用意された任意の閾値から無線装置１０と使用者との相対位置を判定する（ステップＳ３）。
【００２３】
例えば、ステップＳ３において、無線装置１０が使用者へ接近していると判定した場合は単信通信を選択する（ステップＳ４）。次に、無線部１２を含む各部の制御を行い（ステップＳ５）、通信を開始する（ステップＳ６）。
【００２４】
また、ステップＳ３において、無線装置１０と使用者との相対位置が使用者から離れていると判定した場合は複信通信を選択する（ステップＳ７）。次に、無線部１２を含む各部の制御を行い（ステップＳ８）、通信を開始する（ステップＳ９）。
【００２５】
以上のように、制御部１１は無線装置１０と使用者との相対位置が使用者に接近していると判定した場合は単信通信を開始し、無線装置１０と使用者との相対位置が使用者から離れていると判定した場合は複信通信を開始する。無線装置１０と使用者との相対位置の検出については、先述のようにセンサ１３が用いられる。例えば、センサ１３が近接センサである場合、制御部１１は近接センサ１３から入力された情報と、予め用意する閾値から無線装置１０が使用者に接近しているか否かを判定する。また、センサ１３にモーションセンサ等を用いて無線装置１０の移動距離や移動の向きから算出する構成とすることもできる。
【００２６】
また、操作部１４の任意のボタンの押下を通信開始のトリガとしたが、その他の操作をトリガとしてもよい。例えば任意のレベル以上の音声入力をトリガとすれば、操作部１４のボタンを押下する代わりに通信を開始することができるため、トリガの選択肢が広がる。これによって利便性がさらに高まる。
【００２７】
また、無線装置１０からの発信時について述べたが、着信時についても同様に無線装置１０と使用者との相対位置から通信方式を決定することができる。
【００２８】
図３では無線装置１０が無線装置１０と使用者との相対位置の状態を定常的に検出しているが、必ずしも定常的である必要はない。例えば、通信開始のトリガ入力（ステップＳ２）の後に装置の状態の検出（ステップＳ１）を開始する構成としてもよい。
図４は本実施形態の無線装置に対する使用者の操作を示す図である。図４（ａ）は単信通信時の操作を示す図であり無線装置１０と使用者との相対位置が使用者に接近している。図４（ｂ）は複信通信時の操作を示す図であり無線装置１０と使用者との相対位置が使用者から離れている。
（効果）
本実施形態は単信通信・複信通信の両機能をもち、以上のような構成とすることで、通信方式にかかわらず同じ操作で通信を開始できる、操作性の高い無線装置を実現することができる。
【００２９】
また、通信方式を確定した後に通信を開始するため、通信方式にかかわらず、同じ操作で、確定した通信を開始でき、操作性を向上できる。
【００３０】
また、単信通信・複信通信の両機能をもつ本実施形態においては、単信通信時は耳から離れた位置にあることを想定しているため、単信通信時は拡声目的で複信通信時よりスピーカ１６の音量が大きく設定されることが考えられる。このため、単信通信時のスピーカ１６に耳を近づけると不快に感じるおそれがある。しかしながら本実施形態では単信通信を受話するときに無線装置を耳に密着させた場合であっても、その状態を検出し複信通信に切り替えるため、過大音量により不快に感じることがない。
【００３１】
本発明は、最小構成として無線装置と使用者との相対位置に関する情報を取得するセンサと、通信開始の操作を受け付ける入力部と、前記情報に基づいて無線装置の状態を判定する制御部
とを備えていれば、上述した作用・効果を奏する。すなわち、通信方式にかかわらず、同じ操作で、確定した通信を開始でき、操作性が向上する。
【００３２】
本発明は上記実施形態に限定されることなく、特許請求の範囲に記載の発明の範囲内で、種々の変形が可能であり、それらも本発明の範囲内に含まれるものであることはいうまでもない。
【符号の説明】
【００３３】
１０    無線装置
１１    制御部
１２    無線部
１３    センサ
１４    操作部
１５    マイク
１６    受話スピーカ
１７    表示部
１８    プレストーク用ボタン
２０    入力部
【図１】
2015126313.tif 000003
【図２】
2015126313.tif 000004
【図３】
2015126313.tif 000005
【図４】
2015126313.tif 000006